(57)【要約】【目的】自動車内などで映画やテレビを観賞する場合、表示パネルの高さを調整して快適な視聴環境を実現することのできるアーム付表示装置を提供する。【構成】室内天井部Ｒに取り付けられる固定ベース１と、固定ベース１により一端部を支持されて該一端部を中心に上下に回動可能とされるスイングアーム２と、スイングアーム２の先端部に設けられる表示パネル４とを備え、表示パネルがヒンジ機構３により固定ベース１に対する回動角度を調整可能に支持される構成のアーム付表示装置である。固定ベース１にはラック２４が設けられ、ラック２４とスイングアーム２との間には、スイングアーム２の回動運動をラック２４の直線運動に変換するリンク２３が配される。ラック２４には従動ギア３０が噛み合わされ、その従動ギア３０が固定ベース１に設けられる保持手段により回動を抑制される。【選択図】図６
2006227385.tif 000002
【特許請求の範囲】
【請求項１】
所定の位置に取り付けられる固定ベースと、この固定ベースにより一端部を支持されて該一端部を中心にして前記固定ベースに対する接離方向に回動可能とされるスイングアームと、このスイングアームの他端部側に設けられる表示パネルとを備え、その表示パネルが前記スイングアームとの間に配されるヒンジ機構により前記固定ベースに対する回動角度を調整可能に支持される構成のアーム付表示装置において、前記固定ベースの部位に設けられるラックと、このラックと前記スイングアームとの間に架されてスイングアームの回動運動を前記ラックの直線運動に変換する動作変換手段と、前記ラックと噛み合う状態で前記固定ベースに回動可能に設けられる従動ギアと、前記スイングアームから前記従動ギアに与えられる伝達トルクに抗して前記従動ギアの回動を抑制する保持手段とを備えたことを特徴とするアーム付表示装置。
【請求項２】
保持手段は、従動ギアの内方に向かうロック方向と従動ギアから離れるリリース方向とに移動可能にして固定ベースに設けられるロックレバーと、このロックレバーを前記ロック方向に付勢する弾性部材とを備え、前記ロックレバーは前記弾性部材の弾力によって従動ギアの外周端面部に押し付けられる係止部を有すると共に、前記従動ギアの外周端面部には前記係止部を受け入れる切欠部が該従動ギアの周方向に所定の間隔で形成される一方、前記固定ベースには前記弾性部材の弾力に抗して前記ロックレバーを前記リリース方向に移動せしめるための操作部が設けられることを特徴とする請求項１記載のアーム付表示装置。
【請求項３】
保持手段は、従動ギアの内方に向かうロック方向と従動ギアから離れるリリース方向とに移動可能にして固定ベースに設けられるロックレバーと、このロックレバーを前記ロック方向に付勢する弾性部材とを備え、前記ロックレバーは前記弾性部材の弾力によって従動ギアの外周端面部に圧接して該従動ギアを回動不能状態に保持する摩擦制動片を有すると共に、前記固定ベースには前記弾性部材の弾力に抗して前記ロックレバーを前記リリース方向に移動せしめるための操作部が設けられることを特徴とする請求項１記載のアーム付表示装置。
【請求項４】
保持手段は、固定ベースに設けられる第１弾性部材と第２弾性部材を備え、前記第１弾性部材にはその弾力により従動ギアの厚さ方向から該従動ギアの平面部に押し付けられる凸部が設けられると共に、前記従動ギアの平面部には前記凸部と嵌合する嵌合部が該従動ギアの周方向に所定の間隔で形成される一方、前記第２弾性部材はスイングアームの先端部が固定ベースに近接する位置にある場合に前記従動ギアにスイングアームから与えられる伝達トルクとは逆向きのトルクを与えることを特徴とする請求項１記載のアーム付表示装置。
【発明の詳細な説明】
【技術分野】
【０００１】
本発明は、主として自動車をはじめとする乗り物の室内天井部等に装置されるアーム付表示装置に係わり、特に室内天井部から下げられる表示パネルの高さ調整を可能にしたアーム付表示装置に関する。
【背景技術】
【０００２】
近年、カーナビゲーションシステムの普及が顕著であるが、これを構成する表示パネルを利用してナビゲーション画面のみならず、自動車内でテレビ放送やディスクに記録された映画を観賞することも一般に広く行われている。係る表示パネルはダッシュボード上に固定されるか、又はダッシュボード内に格納されて使用に際し外部に開放される方式が主流となっているが、ダッシュボード上に固定されるものでは体裁を損ない、非使用時にダッシュボード内に格納されるタイプでも後部座席の搭乗者にとって表示画像を視認し難いという問題がある。
【０００３】
そこで、自動車の室内天井部に表示パネルを配し、これに表示される情報を後部座席の乗員に提供するという装置が提案されている。
【０００４】
その種の装置として、移動体の天井部に回動自在に設けられた回動部と、この回動部に支持されたアーム部と、このアーム部に支持された表示部とを備えたものが知られる（例えば、特許文献１）。
【０００５】
尚、上記の特許文献１に開示される表示装置において、アーム部（スイングアーム）は回動部により上下に回動可能に支持されると共に、表示部（表示パネル）はアーム部の先端でヒンジユニットにより上下左右に回動可能に支持されて水平面に対する角度（仰角及び俯角）と左右方向の向きを調整可能とされる。
【０００６】
【特許文献１】特開２００１−１５７１４４号公報
【発明の開示】
【発明が解決しようとする課題】
【０００７】
しかしながら、特許文献１の表示装置によれば、アーム部を上下に回動させるためのヒンジユニットが摩擦部材を備え、その摩擦部材によりアーム部に所定の回転抵抗力（摩擦トルク）が付与される構成とされていることから、係る回転抵抗力の設定が小さいと自動車の走行振動を受けるなどしてアーム部が不用意に下方回動し、これを防止するべく回転抵抗力を大きく設定するとアーム部の円滑な回動運動が損なわれてしまうという問題がある。
【０００８】
又、以上のようなヒンジユニットによれば、アーム部の回動運動が繰り返し行われるうちに摩擦部材が摩擦作用により擦り減り、アーム部を所定角度に保持するに足るグリップ力が早期に失われてしまうという欠点があり、しかも係るヒンジユニットにはアーム部から大きな回転トルクが直接作用するので、これに対抗するような摩擦力を得ることは至極困難である。
【０００９】
このため、特許文献１の表示装置では、自動車の天井部にアーム部を嵌め込む凹溝を放射状に形成し、その何れか一つにアーム部を嵌合させたまま表示部を乗員に対向する状態に変位させるようにしているので、座高の低い搭乗者では表示パネルを見上げる状態となり、短時間で首が疲れることになるので表示部を長らく正視することはできない。
【００１０】
本発明は以上のような事情に鑑みて成されたものであり、その目的は自動車内などで映画やテレビを観賞する場合やナビゲーション画面を見る場合に表示パネルの高さ等の位置調整をして快適な視聴環境を実現することのできるアーム付表示装置を提供することにある。
【課題を解決するための手段】
【００１１】
本発明は上記目的を達成するため、所定の位置（例えば、自動車の室内天井部Ｒ）に取り付けられる固定ベース１と、この固定ベース１により一端部を支持されて該一端部を中心にして前記固定ベースに対する接離方向に回動可能とされるスイングアーム２と、このスイングアーム２の他端部側に設けられる表示パネル４とを備え、その表示パネル４が前記スイングアーム２との間に配されるヒンジ機構３により前記固定ベース１に対する回動角度を調整可能に支持される構成のアーム付表示装置において、前記固定ベース１の部位に設けられるラック２４と、このラック２４と前記スイングアーム２との間に架されてスイングアーム２の回動運動を前記ラック２４の直線運動に変換する動作変換手段（リンク２３）と、前記ラック２４と噛み合う状態で前記固定ベース１に回動可能に設けられる従動ギア３０と、前記スイングアーム２から前記従動ギア３０に与えられる伝達トルクに抗して前記従動ギア３０の回動を抑制する保持手段とを備えたことを特徴とする。
【００１２】
又、上記のようなアーム付表示装置において、保持手段は、従動ギア３０の内方に向かうロック方向と従動ギア３０から離れるリリース方向とに移動可能にして固定ベース１に設けられるロックレバー４０と、このロックレバー４０を前記ロック方向に付勢する弾性部材５０とを備え、前記ロックレバー４０は前記弾性部材５０の弾力によって従動ギア３０の外周端面部３０Ａに押し付けられる係止部４１を有すると共に、前記従動ギア３０の外周端面部３０Ａには前記係止部４１を受け入れる切欠部３３が該従動ギアの周方向に所定の間隔で形成される一方、前記固定ベース１には前記弾性部材５０の弾力に抗して前記ロックレバー４０を前記リリース方向に移動せしめるための操作部（摘み７４）が設けられることを特徴とする。
【００１３】
又、上記のようなアーム付表示装置において、保持手段は、従動ギア３０の内方に向かうロック方向と従動ギア３０から離れるリリース方向とに移動可能にして固定ベース１に設けられるロックレバー４０と、このロックレバー４０を前記ロック方向に付勢する弾性部材５０とを備え、前記ロックレバー４０は前記弾性部材５０の弾力によって従動ギア３０の外周端面部３０Ａに圧接して該従動ギアを回動不能状態に保持する摩擦制動片４５を有すると共に、前記固定ベース１には前記弾性部材５０の弾力に抗して前記ロックレバー４０を前記リリース方向に移動せしめるための操作部（摘み７４）が設けられることを特徴とする。
【００１４】
又、上記のようなアーム付表示装置において、保持手段は、固定ベース１に設けられる第１弾性部材８１と第２弾性部材８４を備え、前記第１弾性部材８１にはその弾力により従動ギア３０の厚さ方向から該従動ギアの平面部に押し付けられる凸部８１Ａが設けられると共に、前記従動ギア３０の平面部には前記凸部８１Ａと嵌合する嵌合部３４が該従動ギアの周方向に所定の間隔で形成される一方、前記第２弾性部材８４はスイングアーム２の先端部が固定ベース１に近接する位置にある場合に前記従動ギア３０にスイングアーム２から与えられる伝達トルクとは逆向きのトルクを与えることを特徴とする。
【発明の効果】
【００１５】
本発明によれば、固定ベースにラックと従動ギアを設け、その従動ギアの回動を抑制することによりスイングアームを固定ベースから隔てた回動位置に保持するようにしていることから、従動ギアに対してスイングアームから大きな回転トルクが直接作用せず、このため従動ギアの回動を小さな力で確実に抑制し、以ってスイングアームを使用者により選定された回動位置にしっかり保持することができる。
【００１６】
従って、スイングアームの先端部に設けられる表示パネルを使用者の視線の位置に合わせ、これをその位置に保ったまま、その表示パネルに表示される映像などを楽な姿勢で観ることができる。
【００１７】
特に、請求項２の発明では、従動ギアの回動を抑制する保持手段として、従動ギアに形成される切欠部にロックレバーの係止部を嵌め込み、その状態を弾性部材により保持するようにしているので、切欠部の位置と数の設定により表示パネルの高さ位置を段階的に切り換えることができ、しかもロックレバーをリリース方向に移動させるための操作部を有していることから、従動ギアとロックレバーの係合を絶って表示パネルの高さ調整を容易に行うことができる。
【００１８】
又、請求項３の発明では、ロックレバーに摩擦制動片を設け、これを弾性部材の弾力により従動ギアの外周端面部に圧接せしめるようにしていることから、表示パネルの高さを無段階で調整することができ、しかもロックレバーをリリース方向に移動させるための操作部を有していることから、表示パネルの高さ調整に際して従動ギアに対する摩擦制動片の擦過を防止し、そのグリップ力を長期にわたって維持することができる。
【００１９】
又、請求項４の発明では、保持手段が固定ベースに設けられる第１弾性部材と第２弾性部材とを備え、第１弾性部材に設けられる凸部が従動ギアに形成される嵌合部と嵌合するようにしているので、嵌合部の位置と数の設定により表示パネルの高さ位置を段階的に切り換えることができる。又、スイングアームの先端部が固定ベースに近接した位置にあって、第２弾性部材により従動ギアにスイングアームから与えられる伝達トルクとは逆向きのトルクが与えることから、室内天井部に固定ベースを取り付けてその近傍に表示パネルを位置付けした場合でも、これが不用意に下方移動することを防止できる。
【発明を実施するための最良の形態】
【００２０】
以下、図面に基づいて本発明を詳しく説明する。先ず、図１は本発明に係るアーム付表示装置の使用態様を示す。図１において、１は所定の位置（本例において自動車をはじめとする乗り物若しくは建物などの室内天井部Ｒ）に取り付けられるパネル状の固定ベース、２は固定ベースにより一端部を支持されて該一端部を中心に固定ベース１に対する接離方向（上下方向）に回動（揺動）可能とされるスイングアームであり、このスイングアーム２の自由端となる他端部側（先端部）には後述するヒンジ機構３を介して表示パネル４が設けられる。
【００２１】
固定ベース１は、室内天井部Ｒに固定する背部プレート１Ａと、その下面を覆うカバープレート１Ｂから成り、カバープレート１Ａには表示パネル４を対面状にして収容するパネル収容部５が形成され、そのパネル収容部５にはスイングアーム２を水平状にして格納するためのアーム収容部６と、後述する操作部を操作可能に露出させるための孔７が形成される。又、カバープレート１Ｂには、パネル収容部５の一端縁から突出して表示パネル４をパネル収容部５に対面する状態に保持するフック８と、これによる表示パネル４の保持を解除する開錠ボタン９とが設けられる。
【００２２】
尚、表示パネル４は、液晶パネルなどから成る表示部４Ａとこれを保持する筺体４Ｂ（ベゼル）から構成され、その筺体４Ｂにはヒンジ機構３とは逆の端面にフック８によって係止される図示せぬ被係止部が形成される。
【００２３】
そして、以上のようなアーム付表示装置によれば、図１のように表示パネル４を固定ベース１から吊下がった状態に開放してテレビ放送などを視聴することができ、視聴後には係る表示パネル４を図２のようにパネル収容部５に収容した状態に閉じて該表示パネル４が視界の妨げ等になることを防止することができる。
【００２４】
尚、表示パネル４は、ヒンジ機構３により上下に回動可能に支持されて固定ベース１に対する回動角度（表示部４Ａの仰角及び俯角）を調整可能とされるが、ヒンジ機構３が有する摩擦抵抗力（回転抵抗力）により係る表示パネル４はその回動可能範囲において使用者が選定した姿勢を保持できるようになっている。
【００２５】
又、図３のように、表示パネル４はスイングアーム２内に通される帯状のフレキシブル配線１０（ＦＰＣ）を介して固定ベース内に配される回路基板１１と接続されるが、固定ベースにはフレキシブル配線１０を巻き掛ける２つの巻掛部１２，１３が設けられる。特に、一方の巻掛部１２は円柱状にしてその両端にバネ１４が繋げられ、これによって表示パネル４を上下に回動させた場合にもフレキシブル配線１０にテンションが作用してその弛みが防止されるようにしてある。尚、本装置を自動車内で利用する場合、回路基板１１はダッシュボード内に組み込まれるテレビ受信機やディスクプレーヤと図示せぬ信号線で繋がれるが、ディスクプレーヤなどを固定ベース１内に設けることも可能である。
【００２６】
次に、ヒンジ機構３について説明すると、係るヒンジ機構３は図４のようにスイングアーム２の先端部両側に相対向して形成されるブラケット１５と、そのブラケット１５，１５の間で水平状を成す第１の枢軸１６により両端を支持されるヒンジ胴１７とを備え、そのヒンジ胴１７に第１の枢軸１６と直交する第２の枢軸１８を介して表示パネル４が取り付けられる構成としてある。しかして、ヒンジ胴１７が第１の枢軸１６回りに回動することにより表示パネル４の上下の回動角度が調整可能とされるが、係る表示パネル４は第２の枢軸１８回りの回動により図４の想像線に示すよう左右の向きを調整することも可能とされる。
【００２７】
更に、表示パネル４は上下左右の角度調整のみならず、図５のようにスイングアーム２の回動により高さ調整も可能とされる。図５において、２０はスイングアームの回動中心を成す支持部であり、この支持部２０はスイングアーム２の一端部両側に挿入される水平状の支点軸２１を有して構成される。又、支点軸２１の近傍において、スイングアーム２には支点軸２１と平行する軸部２２が設けられ、その軸部２２にリンク２３の一端が連接される構成としてある。
【００２８】
次に、図６において、２４は直線状の歯部２４Ａを有するラックであり、このラック２４は固定ベースの背部プレート１Ａに取り付けられて該背部プレートに沿って支点軸２１と直交する方向に摺動可能とされている。そして、そのラック２４に固定した軸部２５とスイングアームに設けられる軸部２２とをリンク２３で連結することにより、スイングアーム２の回動運動をラック２４の直線運動に変換する動作変換手段を構成している。
【００２９】
又、図６のように、固定ベースの背部プレート１Ａには支点軸２１を支持するブラケット２６が固設されており、これによりスイングアーム２の一端部を支持する支持部２０が構成されている。
【００３０】
尚、固定ベースの背部プレート１Ａには、スイングアーム２の先端部を挟持する左右一対の保持ピン２７が設けられており、その両保持ピン２７，２７は図示せぬバネにより互いに向かい合う方向に付勢され、スイングアーム２が図１などに示したアーム収容部６内に収容されたとき、係る保持ピン２７の先端がスイングアーム２の先端部に形成されるブラケット１５の凹部に挿入してスイングアーム２が下方に回動することを防止できるようにしてある。そして、その保持ピン２７による保持力に抗してスイングアーム２の先端部に下向き（図６の手前側）の引張力を作用せしめたときには、スイングアーム２が支持部２０により支持された一端部を中心に下方に回動しながら、その回動運動が上記リンク２３を介してラック２４の直線運動に変換されるようになっている。
【００３１】
ここで、固定ベースの背部プレート１Ａには、ラック２４に隣接して扇形の従動ギア３０が背部プレート１Ａに沿って回動可能に設けられる。従動ギア３０は図６及び図７のようにその回動用支点軸３１側にこれを中心とする円弧状の歯部３２を有したもので、係る歯部３２はラックの歯部２４Ａに噛み合わされている。従って、スイングアーム２を上下に回動させると、これに連動してラック２４の直線運動が行われるほか、そのラック２４を介してスイングアーム２から従動ギア３０に対し該従動ギアを回動させるような伝達トルクが与えられるが、従動ギア３０には支点軸３１から隔たる円弧状の外周端面部３０Ａに該従動ギアの周方向（回動方向）に沿って所定の間隔で切欠部３３，・・を形成している。
【００３２】
そして、本例によれば、切欠部３３に嵌め込むためのピン状の係止部４１を有するロックレバー４０を、従動ギア３０の内方に向かう方向（ロック方向）と従動ギア３０から離れる方向（リリース方向）とに移動可能にして固定ベース（背部プレート１Ａ）に設けると共に、そのロックレバー４０をロック方向に付勢する図８のような弾性部材５０（本例において引張コイルバネ）を固定ベースに設けて、従動ギア３０の回動を抑制する保持手段を構成している。
【００３３】
尚、ロックレバー４０は直進移動する方式とすることもできるが、本例ではこれを図６に示す支点軸４２回りに回動する形態とし、係るロックレバー４０に弾性部材５０の一端を係止する爪部４３と、リリース方向への回動力を作用せしめるための押圧部４４とを突設している。
【００３４】
一方、固定ベースの背部プレート１Ａには、従動ギア３０を挟んで図８及び図９のような押え板６０と、図８及び図１０のようなスライド板７０が取り付けられる。押え板６０は、従動ギア３０を被覆する状態で固定ベースの背部プレート１Ａにねじ止めされるものであり、その側縁部には図８、図９の如くスリット６１が形成され、従動ギア３０に対して逆側となる面には３つの案内ピン６２が突設される。
【００３５】
図６、図８から明らかなように、ラック２４には押え板のスリット６１に嵌る案内ピン２４Ｂが突設され、これによりラック２４がスリット６１に沿って移動案内されるようにしてある。又、図８、図１０のように、スライド板７０は押え板の案内ピン６２を嵌め込むスリット７１を有して該スリットの長さ方向に移動可能とされており、押え板６０との間にはスリット７１の長さ方向に沿う弾性部材５１（引張コイルバネ）が掛け渡される。更に、スライド板に７０は、ロックレバーの押圧部４４を嵌め込む誘導孔７２と、弾性部材５０の一端を係止するための爪部７３が形成される。
【００３６】
しかして、ロックレバー４０は、弾性部材５０の弾力により従動ギア３０の内方に向かうロック方向（図６において支点軸４２を中心とする反時計回り）に付勢されて係止部４１が従動ギアの外周端面部３０Ａに押し付けられ、これにより従動ギア３０に形成した切欠部３３，・・・の何れかに係止部４１が嵌合すると、従動ギア３０の回動が抑制されるために、スイングアーム２も所定の回動位置においてその状態に保持されることになる。
【００３７】
又、スライド板７０を弾性部材５０，５１の弾力に抗して図８の右方に強制移動せしめたときには、ロックレバー４０がその押圧部４４を誘導孔７２で押圧されることにより従動ギアから離れるリリース方向に回転移動され、これにより図６に示されるロックレバーの係止部４１が従動ギアの切欠部３３から離脱して従動ギア３０の回動抑制が解除されるために、スイングアーム２を上下方向に自由に回動させることが可能となる。
【００３８】
尚、図８及び図１０のように、スライド板７０にはロックレバー４０をリリース方向に移動させるための操作部として摘み７４をもつ板材が取り付けられ、その摘み７４が図１などに示した孔７の位置に配されるようになっている。又、図８のようにスライド板７０の先端は、保持ピン２７の端面と対向する位置にあって、図４などに示したアーム収容部６からスイングアーム２の先端部が不用意に抜け出すことがないように保持ピン２７の移動を規制しているが、スライド板７０の先端付近には切欠部７５が形成され、摘み７４の押圧操作によりスライド板７０を図８の右方に移動せしめたときには切欠部７５が保持ピン２７の位置に移動して該保持ピンの移動を許容するようになっている。
【００３９】
ここで、以上のように構成されるアーム付表示装置の自動車内における使用例について説明すると、自動車内において後部座席に着座する搭乗者がテレビ放送などを視聴する場合には、図１のように表示パネル４を開放してその表示部４Ａを後部座席側に向ける。尚、表示パネル４を開放するには、開錠ボタン９を上方に押圧して手動により表示パネル４を下方に回動させればよい。
【００４０】
図１の状態でも、表示パネル４の表示部４Ａを下向きにして該表示部４Ａを後部座席から正視することはできるが、表示パネル４のみを回動しただけではその位置が高く、座高の低い者にとって首が疲れ、長時間の視聴が困難になるので、その場合には表示パネル４の開放により現れる操作部（摘み７４）を前方に押圧しながら表示パネル４を下方に引っ張ってその高さ調整を行う。
【００４１】
つまり、摘み７４を前方に押圧すると、図８のようにスライド板７０による保持ピン２７のロックが解除され、これによりスイングアーム２を下方に回動させることが許容される。そして、スイングアーム２の先端部から保持ピン２７が外された状態で摘み７４から手を離し、表示パネル４を下方に引き続けると、これに接続するスイングアーム２が下方に回動し、従動ギア３０の切欠部３３（図６参照）にロックレバー４０の係止部４１が嵌まり込んだ位置でスイングアーム２が保持される。
【００４２】
しかして、複数の切欠部３３の何れかに係止部４１を嵌め込むことにより、スイングアーム２の先端部に設けられる表示パネル４の高さ設定を行い、係る表示パネル４を設定した高さに保ったまま、これに表示される映像などを楽な姿勢で観ることができる。
（変更例１）
【００４３】
次に、図１１は保持手段の変更例として、係る保持手段をフリクション方式とした例を示す。尚、本例において、図示せぬ部分は上記例と同一であり、図示した部材も上記例と変更なき部分には同一符号を付して詳細な説明を省略する。
【００４４】
図１１において、従動ギア３０はその支点軸３１から隔たる外周端面部３０Ａが支点軸３１を中心とする円弧状とされ、ロックレバー４０には上記例の係止部４１に代わって摩擦制動片４５が固着される。
【００４５】
摩擦制動片４５は、例えばゴムや合成樹脂から形成される扁平な円形の突起物であり、これがロックレバー４０をロック方向に付勢する弾性部材５０の弾力によって従動ギアの外周端面部３０Ａに圧接されるようにしてある。尚、本例においても、上記例と同じく固定ベースの背部プレート１Ａに、従動ギア３０を挟んで図９のような押え板６０と図１０のようなスライド板７０が取り付けられ、そのスライド板７０とロックレバー４０との間（爪部４３，７３）に弾性部材５０が掛け渡される。
【００４６】
そして、本例によれば、従動ギアの外周端面部３０Ａに対する摩擦制動片４５の圧接力により、従動ギア３０を任意の位置で回動不能状態に保持し、これによりスイングアームを所望の回動位置に保持して表示パネルの高さを無段階で調整することができる。
【００４７】
又、操作部としての上記例の摘みの押圧操作により、ロックレバー４０をリリース方向に移動させて摩擦制動片４５を従動ギアの外周端面部３０Ａから離脱されることにより、表示パネルの高さ調整に際して従動ギア３０に対する摩擦制動片４５の擦過を防止し、そのグリップ力を長期にわたって維持することができる。尚、本例の場合、従動ギアの外周端面部３０Ａには所謂「ぎざ」を形成することが好ましく、これによって摩擦制動片４５に対する従動ギア３０のスリップを確実に防止することができる。
（変更例２）
【００４８】
次に、図１２及び図１３は保持手段の他の変更例を示す。尚、本例において、図示せぬ部分は上記例と概ね同一とされるが、本例では図１０のような操作部付のスライド板はなく、図９のような押え板も省略して差し支えない。
【００４９】
図１２及び図１３において、固定ベースの背部プレート１Ａには従動ギア３０を挟んで第１弾性部材８１が取り付けられる。本例において、第１弾性部材８１はコ字形の板バネであり、その中央部分には該第１弾性部材の弾力により従動ギア３０の外周平面部に押し付けられる凸部８１Ａが設けられる。尚、凸部８１Ａは第１弾性部材８１に形成されるものでも、その凸部８１Ａを形成した部材を第１弾性部材８１に固着するものでもよい。
【００５０】
一方、従動ギア３０の外周平面部には凸部８１Ａに対応してこれに嵌合する嵌合部３４が形成される。嵌合部３４は従動ギア３０を貫通する透孔もしくは凹状の有底孔であり、これは支点軸３１を中心とする従動ギア３０の周方向（回動方向）に所定の間隔で形成され、従動ギア３０の回動によってその各嵌合部３４に凸部８１Ａが順次嵌まり込むようになっている。ここで、凸部８１Ａの先端には丸みが付けられ、スイングアームから従動ギア３０に対して一定以上のトルクが作用したとき、凸部８１Ａが嵌合部３４により抜け出してスイングアームの回動が許容されるようにしてある。
【００５１】
又、固定ベースの背部プレート１Ａには、従動ギア３０との間に揺動リンク８２が設けられる。揺動リンク８２の一端側には長孔８２Ａが形成され、その長孔８２Ａに対して固定ベースの背部プレート１Ａに突設したピン８３が嵌め込まれている。更に、背部プレート１Ａの部位と揺動リンク８２の一端部には第２弾性部材８４（引張コイルバネ）が掛け渡されると共に、揺動リンク８２の他端部にはピン８２Ｂが突設され、そのピン８２Ｂが従動ギア３０に形成される長孔３５に嵌め込まれる構成としてある。
【００５２】
尚、図１３において、８２Ｃは従動ギア３０に対して逆側となる面で揺動リンク８２に突設されるピンで、このピン８２Ｃは背部プレート１Ａに形成した案内溝８５に嵌め込まれている。
【００５３】
そして、本例の保持手段によれば、第１弾性部材８１の弾力に抗して従動ギア３０及びスイングアーム（図１２、図１３では不図示）を回動し、凸部８１Ａと嵌合部３４が嵌合した状態で従動ギア３０とスイングアームが回動抑制された状態に保持されるようになっている。
【００５４】
特に、スイングアームの先端部が固定ベース１に近接する位置にあって、従動ギア３０にはスイングアームから与えられる伝達トルクとは逆向きのトルクが第２弾性部材８４により与えられるようになっている。つまり、図１２はスイングアームの先端部が固定ベースに近接する位置にあるときの保持手段の状態、詳しくはスイングアームの先端部が図６の保持ピン２７から外れた直後の保持手段の状態を示しているが、この状態で従動ギア３０にはスイングアームから図１２における反時計回りのトルクが伝達されるのに対し、第２弾性部材８４からは揺動リンク８２を介して従動ギア３０に図１２における時計回りのトルクが与えられるようになっている。
【００５５】
又、図１３はスイングアームが下限付近まで回動したときの保持手段の状態を示しているが、この状態でも従動ギア３０に対してスイングアームから与えられる伝達トルクとは逆向きのトルクが第２弾性部材８４により与えられるようになっている。詳しくは、図１３において、従動ギア３０にはスイングアームから反時計回りのトルクが伝達されるのに対し、第２弾性部材８４からは揺動リンク８２を介して従動ギア３０に時計回りのトルクが与えられるようになっている。
【００５６】
従って、本例の保持手段によれば、スイングアームの上下のストロークエンド付近において、第１弾性部材８１と第２弾性部材８４により従動ギア３０の回動を抑制し、スイングアームを上部回動位置と下部回動位置に保持することができる。このため、固定ベースを室内天井部に取り付けてその近傍に表示パネルを位置付けた場合でも、これが不用意に下方移動することはない。
【００５７】
尚、第１弾性部材８１に高弾性の板バネなどを用いれば、スイングアームのストローク中間位置においても従動ギア３０の回動を確実に抑制してスイングアームを保持することができるが、本例では従動ギア３０の外周端面部に支点軸３１を中心とする円弧状の歯部３６を形成すると共に、固定ベースの背部プレート１Ａに所定の回転抵抗力を有する歯車８６を設け、その歯車８６を従動ギアの歯部３６と噛み合わせるようにしている。これによれば、スイングアームのストローク中間位置においても、従動ギア３０の回動を確実に抑制してスイングアームをしっかりと保持することができる。
【００５８】
以上、本発明について説明したが、固定ベースを取り付ける所定の位置とは、自動車その他の室内天井部のみならず、構造物の壁面部や上面部などを含む。例えば、図１４、図１５のように、乗り物などに配される座席Ｓにおける背もたれ部Ｓ１の背面側に固定ベース１を取り付け、その後方における座席に着座する者に表示パネルの表示部４Ａが向けられた状態にして、スイングアーム２が上下に回動する態様としてもよい。
【００５９】
又、図１６のように、自動車のダッシュボードやテーブルなどの上面部Ｔに固定ベース１を取り付け、スイングアーム２の上下の回動によって表示パネル４が上方に起き上がったり下方に倒伏する態様としてもよい。
【図面の簡単な説明】
【００６０】
【図１】本発明に係るアーム付表示装置の使用態様を示す斜視図
【図２】表示パネルの開閉動作（水平面に対する角度調整）を示す説明図
【図３】表示パネルに対する配線方式を示す説明図
【図４】固定ベースの底面図（設置時において下向きとなる面）
【図５】スイングアームの回動動作を示す説明図
【図６】保持手段の構成例を示す平面図
【図７】従動ギアを示す平面図
【図８】保持手段の構成例を示す組図
【図９】固定ベースに設けられる部品（押え板）を示す平面図
【図１０】固定ベースに設けられる部品（操作部付のスライド板）を示す平面図
【図１１】保持手段の変更例を示す平面概略図
【図１２】保持手段の変更例を示す平面概略図
【図１３】保持手段の変更例を示す平面概略図
【図１４】本発明に係るアーム付表示装置の他の使用態様を示す説明図
【図１５】本発明に係るアーム付表示装置の他の使用態様を示す説明図
【図１６】本発明に係るアーム付表示装置の他の使用態様を示す説明図
【符号の説明】
【００６１】
１  固定ベース
１Ａ  背部プレート
１Ｂ  カバープレート
２  スイングアーム
３  ヒンジ機構
４  表示パネル
２０  支持部（スイングアームの回動中心）
２３  リンク(動作変換手段)
２４  ラック
３０  従動ギア
３１  支点軸（従動ギアの回動中心）
３３  切欠部
３４  嵌合部
４０  ロックレバー
４１  係止部
４２  支点軸（ロックレバーの回動中心）
４５  摩擦制動片
５０  弾性部材
６０  押え板
７０  スライド板
７４  摘み（操作部）
８１  第１弾性部材
８１Ａ  凸部
８４  第２弾性部材
【図１】
2006227385.tif 000003
【図２】
2006227385.tif 000004
【図３】
2006227385.tif 000005
【図４】
2006227385.tif 000006
【図５】
2006227385.tif 000007
【図６】
2006227385.tif 000008
【図７】
2006227385.tif 000009
【図８】
2006227385.tif 000010
【図９】
2006227385.tif 000011
【図１０】
2006227385.tif 000012
【図１１】
2006227385.tif 000013
【図１２】
2006227385.tif 000014
【図１３】
2006227385.tif 000015
【図１４】
2006227385.tif 000016
【図１５】
2006227385.tif 000017
【図１６】
2006227385.tif 000018